(57)【特許請求の範囲】
【請求項１】
刃体を有する剃刀ヘッドをホルダの頭部に対し回動可能に支持した首振り式剃刀において、この剃刀ヘッドに設けた係合部とこのホルダに設けた係合部とが剃刀ヘッドの首振りの際に相対動し、このホルダの係合部は剃刀ヘッドを静止位置に復帰させる弾性を有し、剃刀ヘッドの刃体に被せて剃刀ヘッドに対し着脱し得るキャップに設けた首振り抑制部は、剃刀ヘッドの首振りの際に、ホルダの係合部に当接してホルダの係合部の変形に伴う相対動を抑制して剃刀ヘッドの回動を抑制することを特徴とする首振り式剃刀。
【請求項２】
前記剃刀ヘッドの係合部は刃体が露出する剃刀ヘッドの表側に対する裏側に設けられ、前記ホルダの係合部は剃刀ヘッドの裏側に面するホルダの頭部に設けられ、前記キャップの首振り抑制部はホルダの係合部に向けて突設した当接板部であることを特徴とする請求項１に記載の首振り式剃刀。
【請求項３】
前記キャップの首振り抑制部である当接板部は、キャップを剃刀ヘッドに被せた際に、剃刀ヘッドの裏側に設けた裏面部に沿うことを特徴とする請求項２に記載の首振り式剃刀。
【請求項４】
前記当接板部を挟む両側には、キャップを剃刀ヘッドに被せた際に剃刀ヘッドの裏側に係止される係止爪部を設けたことを特徴とする請求項３に記載の首振り式剃刀。
【請求項５】
前記キャップはホルダの頭部に面する側で剃刀ヘッドに挿脱される挿脱口を有し、前記キャップの首振り抑制部である当接板部は剃刀ヘッドの刃体に被せられる表側に対する裏側で剃刀ヘッドに対する挿脱口の反対側に設けられていることを特徴とする請求項２または請求項３または請求項４に記載の首振り式剃刀。
【請求項６】
前記ホルダの係合部は片持梁状の弾性板部であることを特徴とする請求項１から請求項５のうちいずれか一つの請求項に記載の首振り式剃刀。
【発明の詳細な説明】
【技術分野】
【０００１】
本発明は、刃体を有する剃刀ヘッドをホルダの頭部に対し回動可能に支持した首振り式剃刀に関するものである。
【背景技術】
【０００２】
従来、下記特許文献１において、上記剃刀ヘッドに該当する替刃カートリッジは、ホルダの頭部に設けられたロック部を操作することにより、ホルダの頭部に対し揺動可能に支持されたロック解除状態と揺動不能に固定されたロック状態とを取り得る。このロック状態では、剃刀ヘッドの首振りを抑制し得るので、首振り機能の劣化を防止して使用時における使用感触を良好な状態に維持することができる。
【先行技術文献】
【特許文献】
【０００３】
【特許文献１】特許第３０９６６７４号公報
【発明の概要】
【発明が解決しようとする課題】
【０００４】
上記特許文献１では、ホルダの頭部にアームやプッシャなどの部品以外にロック部を設ける必要があった。
この発明は、首振り式剃刀において、不使用時にホルダに対する剃刀ヘッドの首振りを抑制して使用時における使用感触を良好な状態に維持するばかりでなく、ホルダの頭部にロック部を設ける必要をなくして、剃刀ヘッドとホルダとを有する剃刀本体の構成を簡単にすることを目的としている。
【課題を解決するための手段】
【０００５】
後記実施形態の図面（図１〜６）の符号を援用して本発明を説明する。
請求項１の発明は、刃体５を有する剃刀ヘッド２をホルダ３の頭部６に対し回動可能に支持した首振り式剃刀において、この剃刀ヘッド２に設けた係合部１５とこのホルダ３に設けた係合部１１とが剃刀ヘッド２の首振りの際に相対動し、このホルダ３の係合部１１は剃刀ヘッド２を静止位置に復帰させる弾性を有し、剃刀ヘッド２の刃体５に被せて剃刀ヘッド２に対し着脱し得るキャップ４に設けた首振り抑制部１７は、剃刀ヘッド２の首振りの際に、ホルダ３の係合部１１に当接してホルダ３の係合部１１の変形に伴う相対動を抑制して剃刀ヘッド２の回動を抑制する。
請求項１の発明は、下記の効果を有する。
（イ）  キャップ４に首振り抑制部１７を設けたので、首振り機能の劣化を防止して使用時における使用感触を良好な状態に維持するばかりでなく、ホルダ３の頭部６にロック部を設ける必要がなくなり、ホルダ３の頭部６を含む剃刀本体１の構成を簡単にするこができる。
【０００６】
（ロ）  キャップ４の首振り抑制部１７が剃刀本体１側の抑制受け部に作用して剃刀ヘッド２の係合部１５とホルダ３の係合部１１との間の相対動を抑制する構成となっているので、その抑制受け部の構成を簡単にするこができる。
【０００７】
（ハ）  剃刀本体１側の抑制受け部として、剃刀ヘッド２の首振りの際に剃刀ヘッド２を静止位置Ｐに復帰させる弾性を有する係合部１１を兼用したので、係合部１１の弾性の劣化を防止して使用時における使用感触を良好な状態に維持するばかりでなく、部品点数を増やすことなく抑制受け部の構成を簡単にするこができる。
【０００８】
（ニ）  剃刀ヘッド２の刃体５に被せて剃刀ヘッド２に対し着脱し得るキャップ４を兼用して首振り抑制部１７を設けたので、部品点数を増やすことなく首振り式剃刀の構成を簡単にするこができる。
【０００９】
（ホ）  剃刀ヘッド２の首振りの際に剃刀ヘッド２を静止位置Ｐに復帰させる弾性を有するホルダ３の係合部１１にキャップ４の首振り抑制部１７が当接して剃刀本体１側の抑制受け部としたので、抑制受け部の構成を簡単にするこができる。
【００１２】
請求項１の発明を前提とする請求項２の発明において、前記剃刀ヘッド２の係合部１５は刃体５が露出する剃刀ヘッド２の表側に対する裏側に設けられ、前記ホルダ３の係合部１１は剃刀ヘッド２の裏側に面するホルダ３の頭部６に設けられ、前記キャップ４の首振り抑制部はホルダ３の係合部１１に向けて突設した当接板部１７である。請求項２の発明では、剃刀本体１側の抑制受け部やキャップ４の首振り抑制部１７の構成を簡単にするこができる。
【００１３】
請求項２の発明を前提とする請求項３の発明において、前記キャップ４の首振り抑制部である当接板部１７は、キャップ４を剃刀ヘッド２に被せた際に、剃刀ヘッド２の裏側に設けた裏面部１３に沿う。請求項３の発明では、キャップ４を剃刀ヘッド２に被せた際にキャップ４の当接板部１７が剃刀ヘッド２の裏面に当たることなくキャップ４を剃刀ヘッド２に対し円滑に被せることができる。また、当接板部１７がホルダ３の係合部１１に当接した際にこの裏面部１３にも当接して、剃刀ヘッド２の回動を抑制することができる。
【００１４】
請求項３の発明を前提とする請求項４の発明にかかるキャップ４おいて、当接板部１７を挟む両側には、キャップ４を剃刀ヘッド２に被せた際に剃刀ヘッド２の裏側に係止される係止爪部１８を設けた。請求項４の発明では、両係止爪部１８によりキャップ４を剃刀ヘッド２に安定性良く係止して両係止爪部１８間の当接板部１７をホルダ３の係合部１１に対し円滑に当接させることができる。
【００１５】
請求項２または請求項３または請求項４の発明を前提とする請求項５の発明において、前記キャップ４はホルダ３の頭部６に面する側で剃刀ヘッド２に挿脱される挿脱口４ｅを有し、前記キャップ４の首振り抑制部である当接板部１７は剃刀ヘッド２の刃体５に被せられる表側に対する裏側で剃刀ヘッド２に対する挿脱口４ｅの反対側に設けられている。請求項５の発明では、キャップ４を剃刀ヘッド２に対し挿脱口４ｅで挿脱する際に当接板部１７をホルダ３の係合部１１に対し円滑に接離することができる。
請求項１から請求項５のうちいずれか一つの請求項の発明を前提とする請求項６の発明において、前記ホルダ３の係合部は片持梁状の弾性板部１１である。請求項６の発明では、剃刀本体１側の抑制受け部の構成を簡単にするこができる。
【００１６】
次に、請求項以外の技術的思想について実施形態の図面の符号を援用して説明する。
請求項１から請求項６のうちいずれか一つの請求項の発明を前提とする第７の発明において、剃刀ヘッド２は首振り方向Ｒの両側向きＲＦ，ＲＢのうち一方側の向きＲＢにのみ静止位置Ｐから回動し得る。第７の発明では、ホルダ３の頭部６に対し剃刀ヘッド２を静止位置Ｐから一方側の向きＲＢにのみ首振りさせることができる。
【００１７】
請求項１から請求項６のうちいずれか一つの請求項の発明、または第７の発明を前提とする第８の発明において、前記キャップ４の首振り抑制部１７は剃刀ヘッド２の静止位置Ｐで剃刀ヘッド２の回動を抑制する。第８の発明では、ホルダ３の頭部６に対し剃刀ヘッド２を静止位置Ｐで保持することができる。
【００１８】
請求項１から請求項６のうちいずれか一つの請求項の発明、または第７の発明または第８の発明を前提とする第９の発明において、前記キャップ４の首振り抑制部１７は、弾性を有するホルダ３の係合部１１に当接して剃刀ヘッド２の回動を抑制する。第９の発明では、弾性を有するホルダ３の係合部１１を剃刀本体２側の抑制受け部としたので、抑制受け部の構成を簡単にするこができる。
【発明の効果】
【００１９】
本発明は、首振り式剃刀において、不使用時にホルダ３に対する剃刀ヘッド２の首振りを抑制して使用感触を維持するばかりでなく、ホルダ３の頭部６にロック部を設ける必要をなくして、剃刀ヘッド２とホルダ３とを有する剃刀本体１の構成を簡単にすることができる。
【図面の簡単な説明】
【００２０】
【図１】（ａ）は本実施形態にかかる首振り式剃刀においてホルダの腹側を示す斜視図であり、（ｂ）は同じくホルダの背側を示す斜視図であり、（ｃ）は同じくホルダの頭部の腹側を示す斜視図である。
【図２】図１（ｂ）の首振り式剃刀を示す部分斜視図である。
【図３】図１（ｂ）の首振り式剃刀において剃刀ヘッドからキャップを取り外した状態を示す部分斜視図である。
【図４】図１（ａ）の首振り式剃刀において剃刀ヘッドからキャップを取り外した状態を示す部分斜視図である。
【図５】図１の首振り式剃刀においてホルダの頭部側を示す部分断面図である。
【図６】（ａ）は図３の首振り式剃刀においてホルダの頭部側で静止位置にある剃刀ヘッドを示す部分断面図であり、（ｂ）は同じく首振り運動して傾動位置にある剃刀ヘッドを示す部分断面図である。
【発明を実施するための形態】
【００２１】
以下、本発明の一実施形態にかかる首振り式剃刀について図面を参照して説明する。
図１（ａ）（ｂ）に示す首振り式剃刀は、剃刀ヘッド２とホルダ３とを有する剃刀本体１以外に、図３，４に示すように剃刀ヘッド２に対し着脱し得るキャップ４（付設部品）を備えている。剃刀ヘッド２内には刃体５が組み込まれている。刃体５は剃刀ヘッド２の表側に露出している。キャップ４は剃刀ヘッド２の表側で刃体５に被せられる。剃刀ヘッド２の表側に対する裏側にはホルダ３の頭部６が面している。
【００２２】
ホルダ３の頭部６の前端部には刃体５の刃縁に沿う左右方向の両側で支持腕部７が形成されている。剃刀ヘッド２の裏側には左右両支持腕部７が支持された回動支点部８が形成されている。
【００２３】
ホルダ３の頭部６には、左右両支持腕部７間で左右両壁部９が形成されているとともに、左右両壁部９間で切欠部１０が形成され、切欠部１０内で片持梁状の弾性板部１１（抑制受け部としての係合部）が左右両壁部９に沿って形成されている。弾性板部１１の自由端部に形成された当接部１２は剃刀ヘッド２の裏側に面している。
【００２４】
剃刀ヘッド２の裏側には、左右両壁部９の端部９ａが面する左右両裏壁部１３（裏面部）が形成されているとともに、左右両裏壁部１３間で切欠部１４が形成され、切欠部１４で片持梁状の押圧板部１５（抑制受け部としての係合部）がホルダ３側の弾性板部１１に向けて突設されている。図５に示すように押圧板部１５の自由端部に形成された当接部１６は弾性板部１１の当接部１２に面し、その当接部１２には図３に示すように押圧板部１５の当接部１６が当接する突条部１２ａが形成されている。
【００２５】
キャップ４は、図２に示すように剃刀ヘッド２に被せた際に、剃刀ヘッド２の表側に面する表壁部４ａと、剃刀ヘッド２の左右両側に面する両側壁部４ｂと、剃刀ヘッド２の下側に面する底壁部４ｃと、剃刀ヘッド２の裏側に面する裏壁部４ｄとからなり、図５に示すように裏壁部４ｄの上方で剃刀ヘッド２の裏側の一部及び上側が露出する挿脱口４ｅを有している。裏壁部４ｄ上の左右方向中央部には、当接板部１７（首振り抑制部）が上方へ突設されているとともに、当接板部１７を挟む左右両側で係止爪部１８が上方へ突設されて、その当接板部１７と両係止爪部１８とが同一平面内で互いに並んでいる。キャップ４が挿脱口４ｅを通して剃刀ヘッド２に被せられた際に、裏壁部１３に対する左右両側で剃刀ヘッド２の裏側に形成された係止凹部１９に対し係止爪部１８が着脱可能に係止され、当接板部１７が左右両裏壁部１３の裏面に面して接触または僅かな隙間をあけて沿う。図１（ｃ）に示すように、当接板部１７には弾性板部１１の当接部１２に面して両案内突起１７ｂ間で案内凹部１７ａが形成され、当接部１２に形成された突条部１２ｂが案内凹部１７ａに係入されている。
【００２６】
ちなみに、前記キャップ４はポリプロピレン樹脂により成形された透明体であり、前記剃刀ヘッド２及びホルダ３の頭部６における樹脂部分はＡＢＳ樹脂により成形されている。また、キャップ４において、左右方向幅が約４４ｍｍ、上下方向幅が約１６ｍｍ、表裏間の厚みが約７ｍｍにそれぞれ設定されている。
【００２７】
図６（ａ）に示すように、キャップ４が剃刀ヘッド２から離脱された状態では、ホルダ３側の弾性板部１１の当接部１２が剃刀ヘッド２側の押圧板部１５の当接部１６を上方へ押すため、剃刀ヘッド２が首振り方向Ｒの前後両側向きＲＦ，ＲＢのうち前側向きＲＦへ図３に示す回動支点部８を中心に回動して静止位置Ｐで停止している。
【００２８】
図６（ｂ）に示すように、使用時に剃刀ヘッド２が後側向きＲＢヘ押圧されると、押圧板部１５の当接部１６が弾性板部１１の当接部１２をその弾性力に抗して下方へ押すため、それらの当接部１２，１６が相対動しながら弾性板部１１が弾性変形し、剃刀ヘッド２が静止位置Ｐから後側向きＲＢへ任意角度回動して各傾動位置Ｑとなる。左右両回動支点部８の上壁部８ａが左右両支持腕部７に当接するか、または、左右両裏壁部１３が左右両壁部９の端部９ａに当接すると、剃刀ヘッド２の回動が阻止される。使用時に剃刀ヘッド２に対する押圧が解除されると、剃刀ヘッド２が弾性板部１１の弾性力により前側向きＲＦへ回動して傾動位置Ｑから静止位置Ｐに復帰する。
【００２９】
図５に示すように、その静止位置Ｐで剃刀ヘッド２にキャップ４を挿脱口４ｅから被せると、弾性板部１１の当接部１２の突条部１２ｂが当接板部１７の案内凹部１７ａに係入されて当接するため、剃刀ヘッド２が後側向きＲＢへ押圧されても、押圧板部１５の当接部１６と弾性板部１１の当接部１２との間の相対動を抑制して弾性板部１１の弾性変形を抑制する。従って、剃刀ヘッド２の回動に伴う首振り運動を抑制することができる。さらに、このようにキャップ４を剃刀ヘッド２に被せた状態で、剃刀ヘッド２に外力による回動力が働いても、当接板部１７に剃刀ヘッド２の左右両裏壁部１３が当接するため、弾性板部１１によって押される当接板部１７の変形を抑えることができ、剃刀ヘッド２の回動をより一層抑制することができる。
【００３０】
本実施形態は下記の効果を有する。
（１）  剃刀の製造時から流通段階だけでなく、使用中の保管時にも、キャップ４による首振り抑制作用が働くので、弾性板部１１について製造当初の良好な弾性を維持することができる。従って、使用時における使用感触を良好な状態に維持することができる。
【００３１】
（２）  剃刀ヘッド２の首振りを抑制する首振り抑制部を剃刀本体１以外のキャップ４の当接板部１７に設けたので、部品点数を増やすことなくホルダ３の頭部６を含む剃刀本体１の構成を簡単にするこができる。
【００３２】
（３）  剃刀ヘッド２の首振りの際に剃刀ヘッド２を静止位置Ｐに復帰させる弾性を有するホルダ３の弾性板部１１の弾性変形をキャップ４の当接板部１７により抑制してその弾性板部１１と剃刀ヘッド２の押圧板部１５との相対動を抑制したので、部品点数を増やすことなくホルダ３及び剃刀ヘッド２の抑制受け部の構成を簡単にするこができる。
【００３３】
前記実施形態以外にも例えば下記のように構成してもよい。
【００３４】
・  ホルダ３の頭部６に対する剃刀ヘッド２の回動軌跡、例えばホルダ３の頭部６における両壁部９の端部９ａと剃刀ヘッド２における裏壁部１３との間に対し挿脱し得る首振り抑制部をキャップ４に設けてもよい。
【００３７】
・  ホルダ３の頭部６における弾性板部１１に代えて、剃刀ヘッド２を押圧し得る圧縮コイルばねを採用し、その圧縮コイルばねの変形を抑制して剃刀ヘッド２の回動を抑制するようにしてもよい。
【００３８】
・  剃刀ヘッド２の静止位置Ｐでホルダ３の頭部６における弾性板部１１とキャップ４の当接板部１７との間に隙間を設け、その静止位置Ｐから剃刀ヘッド２がこの隙間の範囲だけ後側向きＲＢへ若干回動した所定の傾動位置Ｑで、剃刀ヘッド２の回動を抑制するようにしてもよい。
【００３９】
・  ホルダ３の頭部６における弾性板部１１をキャップ４の当接板部１７で圧接して若干撓ませた状態で剃刀ヘッド２の首振りを抑制してもよい。
・  ホルダ３の頭部６における弾性板部１１の変形方向側である剃刀ヘッド２の下側以外に、剃刀ヘッド２の上側や左右両側の一方側や表側から、剃刀ヘッド２に対しキャップを挿脱し得るようにしてもよい。
【００４０】
・  ホルダ３の頭部６における弾性板部１１においてその自由端部にある当接部１２以外の部分にキャップ４の当接板部１７を当接させてもよい。
・  キャップを剃刀ヘッドやホルダから分離せずに剃刀ヘッドやホルダに対し紐やチェーンなどの索により連結してもよい。
【００４１】
・  キャップを剃刀ヘッドから分離してホルダに対し着脱可能に取り付けし得るようにしてもよい。
・  キャップをホルダに対し回動可能またはスライド可能に支持して、剃刀ヘッドの首振りを可能にする状態と不能にする状態とを取り得るようにしてもよい。
【００４２】
・  当接板部１７における両案内突起１７ｂ及びそれらの間の案内凹部１７ａを省略して平坦に形成し、その平坦な部分に弾性板部１１の当接部１２の突条部１２ｂを当接させてもよい。
【符号の説明】
【００４３】
１…剃刀本体、２…剃刀ヘッド、３…ホルダ、４…キャップ（付設部品）、５…刃体、６…ホルダの頭部、１１…ホルダの弾性板部（係合部）、１５…剃刀ヘッドの押圧板部（係合部）、１７…当接板部（首振り抑制部）、Ｐ…剃刀ヘッドの静止位置。
【図１】
0005513910.tif 000002
【図２】
0005513910.tif 000003
【図３】
0005513910.tif 000004
【図４】
0005513910.tif 000005
【図５】
0005513910.tif 000006
【図６】
0005513910.tif 000007